(57)【要約】 【課題】  冬場等の低外気温時においても、高温の温水を短時間で得る給湯運転が行えるとともに、給湯タンクに貯留された水の温度が低く目標温度との差が大きい場合の冷房給湯運転においても冷房能力を低下させずに、短時間に高温の温水を得ることができるヒートポンプ給湯エアコンを提供する。【解決手段】  冷媒回路を、第一圧縮機１と、第二圧縮機２と、第一四方弁３と、第二四方弁４と、室外熱交換器６と、室内熱交換器７と、給湯用熱交換器８と、アキュームレータ１０とで構成し、低外気温時に給湯運転を行う際、冷媒を前記第一圧縮機１と前記第二圧縮機２とで二段に圧縮し、給湯用熱交換器８で冷水と熱交換させることにより、冬場等でも高温の温水を短時間で得る。【選択図】図１
2005233476.tif 000002
【特許請求の範囲】
【請求項１】
第一圧縮機と、同第一圧縮機の吐出側及び吸込側に夫々接続される第一流路切換弁及び第二流路切換弁と、同第二流路切換弁に夫々膨張弁を介して一側が接続され、他側が前記第一圧縮機の吸込側に接続される並列に配置された室外熱交換器及び室内熱交換器と、前記第一流路切換弁に接続される給湯用熱交換器及びアキュームレータと、同アキュームレータに吸込側を接続させ、吐出側を前記給湯用熱交換器に接続した第二圧縮機とで冷媒回路を構成するとともに、前記給湯用熱交換器で加熱された水を貯留する給湯タンクを備えてなることを特徴とするヒートポンプ給湯エアコン。
【請求項２】
低外気温時に給湯運転を行う際、前記第一圧縮機で冷媒を圧縮させた後、前記アキュームレータを経て前記第二圧縮機に導びき、二段階に圧縮して更に高温高圧とし、前記給湯用熱交換器で水と熱交換させて給湯させることを特徴とする請求項１に記載のヒートポンプ給湯エアコン。
【請求項３】
前記冷媒回路は、冷房運転と、給湯運転と、室内を冷房するとともに水を加熱する冷房給湯運転とが行えることを特徴とする請求項１に記載のヒートポンプ給湯エアコン。
【請求項４】
冷房運転の際、前記第二圧縮機は停止させ、前記第一圧縮機を起動させるとともに、前記第一流路切換弁及び前記第二流路切換弁により冷媒の流れを切換え、前記第一圧縮機から吐出された冷媒を前記第一流路切換弁と前記第二流路切換弁とを介して前記室外熱交換器に導びいて凝縮させ、凝縮した冷媒を前記室内熱交換器に導びいて蒸発させるようにしたことを特徴とする請求項１又は請求項３に記載のヒートポンプ給湯エアコン。
【発明の詳細な説明】
【技術分野】
【０００１】
本発明は、ヒートポンプ給湯エアコンに関わり、より詳細には、低外気温時においても高温の温水を供給できる構成に関する。
【背景技術】
【０００２】
従来のヒートポンプ給湯エアコンは、例えば図７で示すように、圧縮機４３と、流路切換弁として四方弁４４と、給湯用熱交換器４５を備えた給湯装置５２と、二方弁４６と流量調節弁４７と室外熱交換器４８とを順次接続するとともに、前記流量調節弁４７及び前記室外熱交換器４８と並列に流量調節弁４９と室内熱交換器５０とを接続して冷媒回路４０を構成しており、冷房運転、冷房給湯運転及び給湯運転の３運転モードが可能となっている。
【０００３】
通常の冷房運転時、前記圧縮機４３の吐出側４３ａから吐出された高温高圧の冷媒は前記四方弁４４を介して前記室外熱交換器４８に流入して周囲に熱を放出し凝縮する。凝縮した冷媒は前記流量調節弁４９により絞られて低温低圧となり前記室内熱交換器５０に流入し周囲の熱を吸収して蒸発する。蒸発した冷媒は再び前記四方弁４４を介して前記圧縮機４３の吸込側４３ｂに還流するようになっている。
【０００４】
前記給湯装置５２内に供給される水を加熱する給湯運転では、前記圧縮機４３から吐出側された高温高圧の冷媒は、前記四方弁４４を介して前記給湯装置５２の給湯用熱交換器４５に流入し、周囲の水を加熱して凝縮する。凝縮した冷媒は前記流量調節弁４７により絞られて低温低圧となり前記室外熱交換器４８に流入し、周囲の熱を吸収して蒸発する。蒸発した冷媒は前記四方弁４４を介して前記圧縮機４３に還流するようになっている。この際、前記流量調節弁４９を閉鎖して前記室内熱交換器５０に冷媒が流入しないようにしている。前記給湯装置５２で加熱された温水は風呂用あるいは他の用途として給湯管により供給されるようになっている。
【０００５】
冷房運転と給湯運転とを併用する冷房給湯運転においては、前記流量調節弁４９は開放される。前記圧縮機４３から吐出側された高温高圧の冷媒は、前記四方弁４４を介して前記給湯装置５２の給湯用熱交換器４５に流入し、周囲の水を加熱して凝縮する。凝縮した冷媒は前記流量調節弁４７により絞られて低温低圧となり前記室外熱交換器４８に流入し周囲の熱を吸収して蒸発し、前記四方弁４４を介して前記圧縮機４３に還流する。又、開放された前記流量調節弁４９を介して冷媒は前記室内熱交換器５０にも流入し、周囲を流れる空気の熱を吸収して蒸発し前記四方弁４４を介して前記圧縮機４３に還流するようになっている。前記室内熱交換器５０で冷却された空気は室内に吹出され、室内を冷房するようになっている。
【０００６】
しかしながら、冬場等の低外気温時に給湯運転を行うと、前記給湯用熱交換器４５での熱交換効率が低下し、高温の温水を得るのに時間を要するという問題があり、そのため前記給湯装置５２内に水を更に加熱するサブヒータを設ける必要が生じるというような不具合点があった。
【０００７】
【特許文献１】特開２００１−２４８９３７号
【発明の開示】
【発明が解決しようとする課題】
【０００８】
本発明は、上記問題点に鑑み、低外気温時の給湯運転においても、サブヒータを設けることなく高温の温水が短時間で得られるようにするとともに、給湯タンク内に貯留された水の温度が低く、目標温度との差が大きい場合に冷房給湯運転を行う際にも、室内熱交換器での冷房能力を低下させずに、高温の温水を短時間で得ることができるヒートポンプ給湯エアコンを提供することを目的とする。
【課題を解決するための手段】
【０００９】
本発明は、上記課題を解決するため、第一圧縮機と、同第一圧縮機の吐出側及び吸込側に夫々接続される第一切換弁及び第二切換弁と、同第二切換弁に夫々膨張弁を介して一側が接続され、他側が前記第一圧縮機の吸込側に接続される並列に配置された室外熱交換器及び室内熱交換器と、前記第一四方弁に接続される給湯用熱交換器及びアキュームレータと、同アキュームレータに吸込側を接続させ、吐出側を前記給湯用熱交換器に接続した第二圧縮機とで冷媒回路を構成するとともに、前記給湯用熱交換器で加熱された水を貯留する給湯タンクを備えた構成となっている。又、低外気温時に給湯運転を行う際、前記第  一圧縮機で冷媒を圧縮させた後、前記アキュームレータを経て前記第二圧縮機に導びき、二段階に圧縮して更に高温高圧とし、前記給湯用熱交換器で水と熱交換させて給湯させる構成となっている。又、前記冷媒回路は、冷房運転と、給湯運転と、室内を冷房するとともに水を加熱する冷房給湯運転とが行える構成となっている。又、冷房運転の際、前記第二圧縮機は停止させ、前記第一圧縮機を起動させるとともに、前記第一四方弁及び前記第二四方弁により冷媒の流れを切換え、前記第一圧縮機から吐出された冷媒を前記第一四方弁と前記第二四方弁とを介して前記室外熱交換器に導びいて凝縮させ、凝縮した冷媒を前記室内熱交換器に導びいて蒸発させる構成となっている。
【発明の効果】
【００１０】
本発明によると、冷媒回路内に第一圧縮機と第二圧縮機とを設けるとともに、第一四方弁と第二四方弁とを設け、低外気温時に給湯運転を行う際、冷媒を前記第一圧縮機と前記第二圧縮機とで二段に圧縮し、給湯用熱交換器で冷水と熱交換させることにより、冬場等の低外気温時あるいは寒冷地においても、サブヒータを用いることなく高温の温水を短時間で得ることができるようになっている。又、給湯タンク内に貯留された水の温度が低く、目標温度との差が大きい場合に冷房給湯運転を行う際、同様に冷媒を前記第一圧縮機と前記第二圧縮機とで二段に圧縮し、給湯用熱交換器で冷水と熱交換させることにより高温の温水を短時間で得ることができるとともに、室内熱交換器での冷房能力を低下させずに円滑な冷房運転を行うことができるヒートポンプ給湯エアコンとすることができる。
【発明を実施するための最良の形態】
【００１１】
以下、本発明の実施の形態を、添付図面に基づいた実施例として詳細に説明する。
【実施例１】
【００１２】
図１は本発明によるヒートポンプ給湯エアコンの冷媒回路図であり、図２は冷房運転時の冷媒の流れを示す冷媒回路図である。図３は通常の給湯運転時の冷媒の流れを示す冷媒回路図であり、図４は低外気温時での冷媒の流れを示す冷媒回路図である。又、図５は湯温が目標温度近辺での冷房給湯運転時の冷媒の流れを示す冷媒回路図であり、図６は湯温と目標温度との差が大きい場合の冷房給湯運転時の冷媒の流れを示す冷媒回路図である。    
【００１３】
本発明によるヒートポンプ給湯エアコンは、図１の冷媒回路図で示すように、第一圧縮機１及び第二圧縮機２と、流路切換弁として第一四方弁３及び第二四方弁４とを設けている。前記第一圧縮機１の吐出側は第一四方弁３の第一ポート３ａに接続され、同第一四方弁３の第二ポート３ｂは三方弁１２と逆止弁１３ｈを介して給湯用熱交換器８の一側に接続されている。前記第二圧縮機２の吐出側は逆止弁１３ｇを介して前記給湯用熱交換器８の一側に接続され、吸込側は冷媒を貯留するアキュームレータ１０に接続されている。前記給湯用熱交換器８の他側は電子膨張弁５ｃと逆止弁１３ｆを介して前記アキュームレータ１０に接続され、又、前記三方弁１２の第三ポート１２ｃは逆止弁１３ｅを介して前記アキュームレータ１０に接続されている。
【００１４】
前記アキュームレータ１０は、更に逆止弁１３ｂを介して前記第二四方弁４の第三ポート４ｃに接続され、同第二四方弁４の第四ポート４ｄは電子膨張弁５ａを介して、送風ファン６ａを備えた室外熱交換器６の一側に接続されている。又、同室外熱交換器６の他側は電磁開閉弁１０を介して前記第一圧縮機１の吸込側に接続されている。
【００１５】
前記第二四方弁４の第二ポート４ｂは逆止弁１３ｃを備えた配管に接続され、同配管は分岐して、分岐した一方は電子膨張弁５ｂを介して、送風ファン７ａを備えた室内熱交換器７の一側に接続され、分岐した他方は前記電磁開閉弁１０に接続されている。又、前記室内熱交換器７の他側は逆止弁１３ｄを介して前記第一圧縮機１の吸込側配管に接続されている。
【００１６】
前記第一四方弁３の第四ポート３ｄは逆止弁１３ａを介して、前記逆止弁１３ｂと前記第二四方弁４の第三ポート４ｃとを繋ぐ配管に接続され、更に前記第一四方弁３の第三ポート３ｃと、前記第二四方弁４の第一ポート４ａは、夫々キャピラリチューブ１１ａ及びキャピラリチューブ１１ｂを介して前記第一圧縮機１の吸込側配管に接続されている。これらキャピラリチューブは前記第一四方弁３及び前記第二四方弁４の各ポート管に圧力差を生じさせこれら四方弁が円滑に作動するように設けられている。
【００１７】
温水を貯留する給湯タンク９と前記給湯用熱交換器８との間には、水を循環させる給水ポンプ１６を備えた給水管１５と、前記給湯用熱交換器８により加熱された温水を前記給湯タンク９に還流させる温水管１４とが接続され、又、前記給湯タンク９には、同給湯タンク９に冷水を注入する電磁開閉弁１９ａを備えた注入管１７と、貯留された温水を他の機器に供給する、電磁開閉弁１９ｂを備えた温水供給管１８が接続されている。
【００１８】
上記したような構成により、本願による冷媒回路は、冷房運転と、通常の給湯運転と、低外気温における給湯運転と、冷房運転と給湯運転とを併用する冷房給湯運転とが行えるようになっている。
【００１９】
次に、動作について説明する。前記第一四方弁３は、第一ポート３ａと第二ポート３ｂとが連通され、第三ポート３ｃと第四ポート３ｄとが連通された状態を状態１とし、第二ポート３ｂと第三ポート３ｃとが連通され、第一ポート３ａと第四ポート３ｄとが連通された状態を状態２とする。同様に、前記第二四方弁４についても、第一ポート４ａと第二ポート４ｂとが連通され、第三ポート４ｃと第四ポート４ｄとが連通された状態を状態１とし、第二ポート４ｂと第三ポート４ｃとが連通され、第一ポート４ａと第四ポート４ｄとが連通された状態を状態２とする。前記三方弁１２は、第一ポート１２ａと第二ポート１２ｂとが連通された状態を状態１とし、第一ポート１２ａと第三ポート１２ｃが連通された状態を状態２とする。
【００２０】
まず通常の冷房運転の場合、図２（Ｂ）で示すように、前記第一圧縮機１は運転状態となるが第二圧縮機２は停止状態となる。前記第一四方弁３は切換られて状態２となり、前記第二四方弁４は状態１に設定される。前記電磁開閉弁１０は閉鎖されるとともに、前記給水ポンプ１６は停止状態となる。又、前記電子膨張弁５ａは全開状態に設定され、前記電子膨張弁５ｂは絞り状態に設定される。
【００２１】
前記第一圧縮機１から吐出された高温高圧の冷媒は、図２（Ａ）の矢印で示すように、前記第一四方弁３と前記逆止弁１３ａと前記第二四方弁４と前記電子膨張弁５ａとを介して前記室外熱交換器６に流入し、同室外熱交換器６にて熱を放出して凝縮する。凝縮した冷媒は続いて前記電子膨張弁５ｂにより絞られ低温低圧となって前記室内熱交換器７に流入し、周囲を流れる空気の熱を吸収して蒸発する。蒸発した冷媒は前記逆止弁１３ｄを介して前記第一圧縮機１の吸込側に還流するようになっている。又、前記室内熱交換器７にて冷却された空気は前記送風ファン７ａにより送出され室内を冷房するようになっている。
【００２２】
次に、通常の例えば夏場、あるいは春秋等の気温が１０℃以上の場合の給湯運転について説明する。この場合、室内の冷房は行われない。図３（Ｂ）で示すように、前記第一圧縮機１は運転状態となるが、前記第二圧縮機２は停止状態となり、前記第一四方弁３と前記第二四方弁４は状態１に設定される。前記電磁開閉弁１０は開放され、前記三方弁１２は第一ポート１２ａと第二ポート１２ｂとが連通するように状態２に設定される。又、前記給水ポンプ１６が駆動され、前記給湯タンク９に貯留された冷水は、前記給水管１５と前記給湯用熱交換器８と前記温水管１４と前記給湯タンク９とに循環するようになっている。又、前記電子膨張弁５ｃは全開状態に、前記電子膨張弁５ｂは閉鎖状態に、前記電子膨張弁５ａは絞り状態に夫々設定されるようになっている。
【００２３】
前記第一圧縮機１から吐出された高温高圧の冷媒は、図３（Ａ）の矢印で示すように、前記第一四方弁３と前記三方弁１２と前記逆止弁１３ｈとを介して前記給湯用熱交換器８に流入し、前記給水ポンプ１５により循環される冷水と熱交換して冷却され凝縮する。凝縮した冷媒は前記電子膨張弁５ｃと、前記逆止弁１３ｆを介して前記アキュームレータ１０に注入される。同アキュームレータ１０よりは再び逆止弁１３ｂと前記第二四方弁４とを経て絞り状態となった前記電子膨張弁５ａにより絞られて低温低圧となる。低温低圧となった冷媒は前記室外熱交換器６に流入し熱を吸収して蒸発し、蒸発した冷媒は前記電磁開閉弁１０を介して前記第一圧縮機１の吸込側に還流するようになっている。又、前記給湯用熱交換器８にて加熱された温水は、前記温水管１４を経て前記給湯タンク９に還流するようになっている。
【００２４】
次に、冬場等の、例えば外気温が０℃以下の低外気温時における給湯運転について説明する。図４（Ｂ）で示すように、前記第一圧縮機１と前記第二圧縮機２とはともに運転状態となり、前記第一四方弁３と前記第二四方弁４は状態１に設定される。前記電磁開閉弁１０は開放され、前記三方弁１２は第一ポート１２ａと第三ポート１２ｃとが連通するように状態１に設定される。又、前記給水ポンプ１６が駆動され、前記給湯タンク９に貯留された冷水は、前記給水管１５と前記給湯用熱交換器８と前記温水管１４と前記給湯タンク９とに循環するようになっている。又、前記電子膨張弁５ｃは全開状態に、前記電子膨張弁５ｂは閉鎖状態に、前記電子膨張弁５ａは絞り状態に夫々設定されるようになっている。
【００２５】
前記第一圧縮機１から吐出された高温高圧の冷媒は、図４（Ａ）の矢印で示すように、前記第一四方弁３を経て前記三方弁１２に流入し、同三方弁１２の第一ポート１２ａから第三ポート１２ｃを通り前記アキュームレータ１０に注入される。注入された冷媒は再び前記第二圧縮機２により吸入され、同第二圧縮機２により圧縮されて更に高温高圧となる。更に高温高圧となった冷媒は、前記逆止弁１３ｇとを介して前記給湯用熱交換器８に流入し、前記給水ポンプ１５により循環される冷水と熱交換して冷却され凝縮する。凝縮した冷媒は前記電子膨張弁５ｃと、前記逆止弁１３ｆを介して前記アキュームレータ１０に注入される。同アキュームレータ１０よりは再び逆止弁１３ｂと前記第二四方弁４とを経て絞り状態となった前記電子膨張弁５ａにより絞られて低温低圧となる。低温低圧となった冷媒は前記室外熱交換器６に流入し熱を吸収して蒸発し、蒸発した冷媒は前記電磁開閉弁１０を介して前記第一圧縮機１の吸込側に還流するようになっている。又、前記給湯用熱交換器８にて加熱される冷水は、前記第一圧縮機１と前記第二圧縮機２とにより更に高温高圧となった冷媒と熱交換することにより、低外気温にも関わらず高温となるように加熱され、前記給湯タンク９に貯留されるようになっている。前記第一圧縮機１と前記第二圧縮機２とで二段に冷媒を圧縮することにより、冷媒を高温度の状態とさせ、前記給湯用熱交換器８にて冷水を加熱することにより、サブヒータを要することなく高温の温水を得ることができるようになっている。
【００２６】
次に、前記給湯タンク９に貯留された温水が、目標温度近辺状態での、冷房給湯運転について説明する。図５（Ｂ）で示すように、前記第一圧縮機１は運転状態となるが前記第二圧縮機２は停止状態となる。前記第一四方弁３と前記第二四方弁４は状態１に設定される。前記電磁開閉弁１０は閉鎖され、前記三方弁１２は第一ポート１２ａと第二ポート１２ｂとが連通するように状態２に設定される。又、前記給水ポンプ１６が駆動され、前記給湯タンク９に貯留された冷水は、前記給水管１５と前記給湯用熱交換器８と前記温水管１４と前記給湯タンク９とに循環するようになっている。又、前記電子膨張弁５ｃは全開状態に、前記電子膨張弁５ａと、前記電子膨張弁５ｂとは夫々は絞り状態に夫々設定されるようになっている。
【００２７】
前記第一圧縮機１から吐出された高温高圧の冷媒は、図５（Ａ）の矢印で示すように、前記第一四方弁３と前記三方弁１２と前記逆止弁１３ｈとを介して前記給湯用熱交換器８に流入し、前記給水ポンプ１５により循環される冷水と熱交換して冷却され凝縮する。凝縮した冷媒は前記電子膨張弁５ｃと、前記逆止弁１３ｆを介して前記アキュームレータ１０に注入される。同アキュームレータ１０よりは再び逆止弁１３ｂと前記第二四方弁４とを経て絞り状態となった前記電子膨張弁５ａにより絞られて前記室外熱交換器６に流入し熱を吸収して蒸発し、更に前記電子膨張弁５ｂを経て室内熱交換器７に流入し、周囲を流れる空気の熱を吸収して蒸発する。蒸発した冷媒は前記電磁開閉弁１０を介して前記第一圧縮機１の吸込側に還流するようになっている。又、前記給湯用熱交換器８にて加熱された温水は、前記温水管１４を経て前記給湯タンク９に還流するようになっている。
【００２８】
次に、前記給湯タンク９に貯留された水の温度が低く、同水の目標温度との差が大きい場合の冷房給湯運転について説明する。図６（Ｂ）で示すように、前記第一圧縮機１と前記第二圧縮機２とは共に運転状態となる。前記第一四方弁３は状態１に設定されるが、前記第二四方弁４は切換られて状態２に設定される。前記電磁開閉弁１０は閉鎖され、前記三方弁１２は第一ポート１２ａと第三ポート１２ｃとが連通するように状態１に設定される。又、前記給水ポンプ１６が駆動され、前記給湯タンク９に貯留された冷水は、前記給水管１５と前記給湯用熱交換器８と前記温水管１４と前記給湯タンク９とに循環するようになっている。又、前記電子膨張弁５ｃは全開状態に、前記電子膨張弁５ｂとは絞り状態に夫々設定されるようになっている。
【００２９】
前記第一圧縮機１から吐出された高温高圧の冷媒は、図６（Ａ）の矢印で示すように、前記第一四方弁３を経て前記三方弁１２に流入し、同三方弁１２の第一ポート１２ａから第三ポート１２ｃを通り前記アキュームレータ１０に注入される。注入された冷媒は再び前記第二圧縮機２により吸入され、同第二圧縮機２により圧縮されて更に高温高圧となる。更に高温高圧となった冷媒は、前記逆止弁１３ｇとを介して前記給湯用熱交換器８に流入し、前記給水ポンプ１５により循環される冷水と熱交換して冷却され凝縮する。凝縮した冷媒は前記電子膨張弁５ｃと、前記逆止弁１３ｆを介して前記アキュームレータ１０に注入される。同アキュームレータ１０よりは再び逆止弁１３ｂと前記第二四方弁４と、前記逆止弁１３ｃを介して絞り状態となった前記電子膨張弁５ｂにより絞られて前記室内熱交換器７に流入し熱を吸収して蒸発し、蒸発した冷媒は前記電磁開閉弁１０を介して前記第一圧縮機１の吸込側に還流するようになっている。又、前記給湯用熱交換器８にて加熱された温水は、前記温水管１４を経て前記給湯タンク９に還流するようになっている。
【００３０】
水温と目標温度との差が大きい場合、上記したように、冷媒を前記第一圧縮機１と前記第二圧縮機２とで二段階に圧縮して、前記給湯用熱交換器８で冷水を加熱することにより、高温の温水を短時間で得ることができるとともに、前記室内熱交換器７での冷房能力を
低下させることなく円滑な冷房運転を継続することができるようになっている。
【図面の簡単な説明】
【００３１】
【図１】（Ａ）は本発明によるヒートポンプ給湯エアコンの冷媒回路図である。  （Ｂ）は第一四方弁を示す詳細図である。  （Ｃ）は第二四方弁を示す詳細図である。
【図２】（Ａ）は冷房運転時の冷媒の流れを示す冷媒回路図である。  （Ｂ）は機器の設定状態を示す設定表である。
【図３】（Ａ）は通常状態での給湯運転の冷媒の流れを示す冷媒回路図である。  （Ｂ）は機器の設定状態を示す設定表である。
【図４】（Ａ）は低外気温時での給湯運転の冷媒の流れを示す冷媒回路図である。  （Ｂ）は機器の設定状態を示す設定表である。
【図５】（Ａ）は湯温が目標値近辺での冷房給湯運転の冷媒の流れを示す冷媒回路図である。  （Ｂ）は機器の設定状態を示す設定表である。
【図６】（Ａ）は湯温と目標値との差が大きい場合の冷房給湯運転の冷媒の流れを示す冷媒回路図である。  （Ｂ）は機器の設定状態を示す設定表である。
【図７】従来のヒートポンプ給湯エアコンの一例を示す冷媒回路図である。
【符号の説明】
【００３２】
１  第一圧縮機
２  第二圧縮機
３  第一四方弁
３ａ  第一ポート
３ｂ  第二ポート
３ｃ  第三ポート
３ｄ  第四ポート
４  第二四方弁
４ａ  第一ポート
４ｂ  第二ポート
４３ｃ  第三ポート
４ｄ  第四ポート
５ａ，５ｂ，５ｃ  電子膨張弁
６  室外熱交換器
６ａ  送風ファン
７  室内熱交換器
７ａ  送風ファン
８  給湯用熱交換器
９  給湯タンク
１０  電磁開閉弁
１１ａ，１１ｂ  キャピラリチューブ
１２  三方弁
１２ａ  第一ポート
１２ｂ  第二ポート
１２ｃ  第三ポート
１３ａ〜１３ｈ  逆止弁
１４  温水管
１５  給水管
１６  給水ポンプ
１７  注入管
１８  温水供給管
１９ａ，１９ｂ  電磁開閉弁
【図１】
2005233476.tif 000003
【図２】
2005233476.tif 000004
【図３】
2005233476.tif 000005
【図４】
2005233476.tif 000006
【図５】
2005233476.tif 000007
【図６】
2005233476.tif 000008
【図７】
2005233476.tif 000009